(57)【要約】【課題】画像読取部および複数の通信方式に対応した通信機を備える画像処理装置において、通信方式の選択のための確認作業および宛先の入力作業を簡略化できること。【解決手段】画像処理装置１０において、通信機６，７は、第１画像データを第１通信方式または第２通信方式で他装置へ送信可能である。宛先抽出部５４ｃは、第２画像データに対する文字認識処理を行うことにより、前記第１通信方式に対応する第１宛先の文字列と前記第２通信方式に対応する第２宛先の文字列とを抽出する。タイプ判定部５１ａは、前記第１画像データのタイプを判定する。宛先選択部５１ｃは、前記第１画像データのタイプの判定結果に基づく予め定められた選択ルールに従って、前記第１画像データの送信先として前記第１宛先および前記第２宛先の一方を選択する。【選択図】図１
2018121231.tif 000002
【特許請求の範囲】
【請求項１】
原稿の画像を読み取り、画像データを出力する画像読取部と、
前記画像読取部により得られた第１画像データを第１通信方式または第２通信方式で他装置へ送信可能な通信機と、
前記画像読取部により得られた第２画像データに対する文字認識処理を行うことにより、前記第１通信方式に対応する第１宛先の文字列と前記第２通信方式に対応する第２宛先の文字列とを抽出する宛先抽出部と、
前記第１画像データが予め定められた複数のタイプのいずれに該当するかを判定するタイプ判定部と、
前記第１画像データのタイプの判定結果に基づく予め定められた選択ルールに従って、前記第１画像データの送信先として前記第１宛先および前記第２宛先の少なくとも一方を選択する宛先選択部と、を備える画像処理装置。
【請求項２】
前記第１通信方式が公衆通信回線を通じたファクシミリ通信の方式であり、
前記第２通信方式がネットワークを通じた電子メール通信の方式であり、
前記第１宛先がファックス番号であり、
前記第２宛先が電子メールアドレスである、請求項１に記載の画像処理装置。
【請求項３】
前記複数のタイプが、モノクロ画像データおよびカラー画像データを含み、
前記選択ルールが、
前記第１画像データが前記モノクロ画像データであると判定された場合に前記第１宛先を選択する第１基本ルールと、
前記第１画像データが前記カラー画像データであると判定された場合に前記第２宛先を選択する第２基本ルールと、を含む、請求項２に記載の画像処理装置。
【請求項４】
前記複数のタイプが、予め設定された許容データサイズの条件を満たす許容サイズデータおよび前記許容データサイズの条件を満たさないオーバーサイズデータを含み、
前記選択ルールが、
前記第１画像データが前記許容サイズデータであると判定された場合に前記第１宛先を選択する第３基本ルールと、
前記第１画像データが前記オーバーサイズデータであると判定された場合に前記第２宛先を選択する第４基本ルールと、を含む、請求項２または請求項３に記載の画像処理装置。
【請求項５】
前記複数のタイプが、予め設定された秘匿指定画像を含む秘匿データおよび前記秘匿指定画像を含まない一般データを含み、
前記選択ルールが、
前記第１画像データが前記秘匿データであると判定された場合に前記第１宛先を選択する第５基本ルールと、
前記第１画像データが前記一般データであると判定された場合に前記第２宛先を選択する第６基本ルールと、を含む、請求項２から請求項４のいずれか１項に記載の画像処理装置。
【請求項６】
前記複数のタイプが、予め設定された至急指定画像を含む至急データおよび前記至急指定画像を含まない不急データを含み、
前記選択ルールが、
前記第１画像データが前記至急データであると判定された場合に前記第１宛先および前記第２宛先を選択する第７基本ルールを含む、請求項２から請求項５のいずれか１項に記載の画像処理装置。
【請求項７】
前記選択ルールが、複数の基本ルールを含み、
前記宛先選択部が、前記複数の基本ルールを予め定められた優先順位に従って適用することにより、前記第１宛先および前記第２宛先の少なくとも一方を選択する、請求項５または請求項６に記載の画像処理装置。
【請求項８】
情報を表示可能な表示部と、
ユーザーの操作を受け付け可能な操作部と、
前記第１画像データのタイプの判定結果および前記宛先選択部によって選択された前記第１画像データの送信先の情報を前記表示部に表示させる表示制御部と、
前記操作部に対する予め定められた変更操作に従って、前記宛先選択部によって選択された前記第１画像データの送信先を変更可能であり、前記操作部に対する予め定められた送信操作に従って、最終的に選択された前記第１宛先または前記第２宛先へ前記第１画像データを送信する処理を前記通信機に実行させる送信制御部と、をさらに備える請求項１から請求項７のいずれか１項に記載の画像処理装置。
【発明の詳細な説明】
【技術分野】
【０００１】
本発明は、画像処理装置に関する。
【背景技術】
【０００２】
一般に、画像読取部および通信機を備える画像処理装置は、読取画像データを他装置へ送信する画像データ送信機能を備える。例えば、前記画像処理装置が、ＴＣＰ／ＩＰに準拠した通信インターフェイスを備え、ネットワークを通じた電子メール通信によって前記読取画像データを他装置へ送信する電子メール機能を備える場合がある。
【０００３】
また、ファクシミリ装置は、モデムを備え、公衆通信回線を通じたファクシミリ通信によって前記読取画像データを他のファクシミリ装置へ送信する。前記ファクシミリ装置は、前記画像処理装置の一例である。
【０００４】
また、前記ファクシミリ装置が、名刺に印刷された電話番号およびファックス番号を読み取り、前記電話番号および前記ファックス番号の一方に基づいて自動発信することが知られている（例えば、特許文献１参照）。この場合、前記ファクシミリ装置は、原稿が自装置にセットされている場合に、前記ファックス番号に基づいて自動発信し、そうでない場合に、前記電話番号に基づいて自動発信する。
【先行技術文献】
【特許文献】
【０００５】
【特許文献１】特開平６−２４４９７９号公報
【発明の概要】
【発明が解決しようとする課題】
【０００６】
ところで、前記読取画像データの送信において、前記電子メール通信および前記ファクシミリ通信などの各種の通信方式は、それぞれメリットとデメリットの両方を有する。そのため、ユーザーは、前記読取画像データの特性などに応じて、複数の通信方式のいずれを用いて前記読取画像データを送信するかを決定する必要がある。
【０００７】
例えば、前記電子メール通信が、許容データサイズを超えるデータを送信できないという制約を有する場合、前記ユーザーは、前記画像処理装置に対してファクシミリ送信操作を行う必要がある。前記ファクシミリ送信操作において、前記ユーザーは、ファックス番号を前記画像処理装置に入力する。
【０００８】
また、前記ファクシミリ通信が、カラー画像データを送信できないという制約を有する場合、前記ユーザーは、前記読取画像データを前記カラー画像データとして相手に届けるために、前記画像処理装置に対して電子メール送信操作を行う必要がある。前記電子メール送信操作において、前記ユーザーは、電子メールアドレスを前記画像処理装置に入力する。
【０００９】
しかしながら、前記ユーザーにとって、データを送信する操作を行う前に、ファイル管理アプリケーションを起動させて前記読取画像データのサイズを確認したり、送信する原稿の一部にカラー画像が含まれているか否かを１ページずつ確認したりすることは、繁雑な作業である。
【００１０】
また、前記ファックス番号または前記電子メールアドレスを、前記画像処理装置に入力することも、前記ユーザーにとって煩雑な作業である。また、データの送信頻度が低い宛先を前記画像処理装置に予め登録することは避けたい。
【００１１】
本発明の目的は、画像読取部および複数の通信方式に対応した通信機を備え、通信方式の選択のための確認作業および宛先の入力作業を簡略化できる画像処理装置を提供することにある。
【課題を解決するための手段】
【００１２】
本発明の一の局面に係る画像処理装置は、画像読取部と、通信機と、宛先抽出部と、タイプ判定部と、宛先選択部と、を備える。前記画像読取部は、原稿の画像を読み取り、画像データを出力する。前記通信機は、前記画像読取部により得られた第１画像データを第１通信方式または第２通信方式で他装置へ送信可能である。前記宛先抽出部は、前記画像読取部により得られた第２画像データに対する文字認識処理を行うことにより、前記第１通信方式に対応する第１宛先の文字列と前記第２通信方式に対応する第２宛先の文字列とを抽出する。前記タイプ判定部は、前記第１画像データが予め定められた複数のタイプのいずれに該当するかを判定する。前記宛先選択部は、前記第１画像データのタイプの判定結果に基づく予め定められた選択ルールに従って、前記第１画像データの送信先として前記第１宛先および前記第２宛先の少なくとも一方を選択する。
【発明の効果】
【００１３】
本発明によれば、画像読取部および複数の通信方式に対応した通信機を備え、通信方式の選択のための確認作業および宛先の入力作業を簡略化できる画像処理装置を提供することが可能になる。
【図面の簡単な説明】
【００１４】
【図１】図１は、第１実施形態に係る画像処理装置のブロック図である。
【図２】図２は、第１実施形態に係る画像処理装置における名刺利用によるデータ送信処理の手順の一例を示すフローチャートである。
【図３】図３は、第１実施形態に係る画像処理装置における送信先確認画面の一例を示す図である。
【図４】図４は、第１実施形態に係る画像処理装置における警告メッセージを含む送信先確認画面の一例を示す図である。
【図５】図５は、第２実施形態に係る画像処理装置のブロック図である。
【発明を実施するための形態】
【００１５】
以下、添付図面を参照しながら、本発明の実施形態について説明する。なお、以下の実施形態は、本発明を具体化した一例であって、本発明の技術的範囲を限定するものではない。
【００１６】
［第１実施形態］
第１実施形態に係る画像処理装置１０は、公衆通信回線８００を通じてＦＡＸ通信処理を実行するファクシミリ装置の一例である。さらに、画像処理装置１０は、は、例えばＬＡＮ（Local Area Network）およびインターネットなどを含むネットワーク８０を通じて画像データを電子メールデータとして送信する機能も備える。
【００１７】
［画像処理装置１０の構成］
図１に示されるように、画像処理装置１０は、ユーザーインターフェイス１、イメージスキャナー２、画像形成部３，二次記憶部４、制御部５、ネットワークインターフェイス６およびモデム７などを備える。
【００１８】
ユーザーインターフェイス１は、操作部１ａおよび表示部１ｂを含む。操作部１ａは、タッチパネルまたは押しボタンなどように、ユーザーの操作を受け付ける操作入力デバイスである。表示部１ｂは、液晶表示パネルなどのように、前記ユーザーに提示する情報および画像を表示可能なパネル状の表示デバイスである。
【００１９】
イメージスキャナー２は、画像読取処理を実行する装置である。前記画像読取処理は、原稿の画像を読み取り、読取画像データを出力する処理である。なお、イメージスキャナー２は、画像読取部に相当する。
【００２０】
イメージスキャナー２は、光源２ａ、走査機構２ｂ、導光機器２ｃ、イメージセンサー２ｄおよびＡＦＥ（Analog Front End）２ｅなどを備える。光源２ａは、前記原稿に光を照射する。走査機構２ｂは、光源２ａの光を前記原稿に対して走査させる。例えば、走査機構２ｂは、ＡＤＦ（Automatic Document Feeder）、原稿台および光源移動機構を含む。
【００２１】
前記ＡＤＦは、予め定められた読取位置を通る搬送路に沿って前記原稿を搬送する機構である。前記ＡＤＦが動作する場合、光源２ａは、一定の位置から前記読取位置へ光を照射する。
【００２２】
前記光源移動機構は、プラテンガラスに沿って光源２ａを移動させる機構である。前記光源移動機構が動作する場合、前記原稿は、前記プラテンガラス上に載置される。
【００２３】
導光機器２ｃは、前記原稿の表面で反射した光をイメージセンサー２ｄの受光部へ導く。イメージセンサー２ｄは、前記原稿の表面で反射した光の光量を検出し、検出信号を画像読取信号として出力する。ＡＦＥ２ｅは、アナログの前記画像読取信号をデジタルデータへ変換する。変換後の前記デジタルデータが、前記読取画像データである。
【００２４】
本実施形態において、イメージスキャナー２は、赤、緑および青の３色のデータを含むカラー前記読取画像データを出力可能である。
【００２５】
例えば、光源２ａおよびイメージセンサー２ｄが、ＣＩＳ（Contact Image Sensor）を構成していることが考えられる。この場合、光源２ａが、順番に点灯する赤光源、緑光源および青光源を含み、イメージセンサー２ｄは、３色の画像データを順次出力する。
また、イメージセンサー２ｄがＣＣＤ（Charge Coupled Device）イメージセンサーであることも考えられる。この場合、光源２ａが白色光源であり、イメージセンサー２ｄが、３ＣＣＤ方式または３ライン方式のイメージセンサーであることが考えられる。
【００２６】
画像形成部３は、電子写真方式またはインクジェット方式などの予め定められた方式でシートに画像を形成する印刷処理を実行する装置である。例えば、画像形成部３は、イメージスキャナー２によって得られる前記読取画像データに基づく前記印刷処理および他装置から受信したＦＡＸデータに基づく前記印刷処理を実行可能である。なお、前記ＦＡＸデータはファクシミリデータを意味する。
【００２７】
二次記憶部４は、コンピューター読み取り可能な不揮発性の記憶部の一例である。例えば、ハードディスクドライブまたはフラッシュメモリーなどが、二次記憶部４として採用される。
【００２８】
ネットワークインターフェイス６は、ネットワーク８０を通じて他装置とＴＣＰ／ＩＰ規格に準拠した通信を行う通信機である。画像処理装置１０は、ネットワークインターフェイス６を通じて、ネットワーク８０上の電子メールサーバー８ｘと通信可能である。
【００２９】
例えば、画像処理装置１０は、前記読取画像データを電子メールデータの一部として送信可能である。前記電子メールデータの一部として送信された前記読取画像データは、電子メールサーバー８ｘを経由して、前記電子メールデータに設定された宛先メールアドレスに対応するネットワーク８０上の端末装置８ｙへ送信される。
【００３０】
モデム７は、いわゆるＦＡＸモデムであり、公衆通信回線８００を通じてＦＡＸデータの送信および前記ＦＡＸデータの受信を実行することが可能な通信機である。画像処理装置１０は、前記読取画像データを前記ＦＡＸデータとして他のファクシミリ装置８ｚへ送信可能である。
【００３１】
制御部５は、各種の演算、データ処理および画像処理装置１０が備える各種の電子機器の制御を実行する。制御部５は、バス１００を通じてＡＦＥ２ｅ、二次記憶部４、ネットワークインターフェイス６およびモデム７との間でデータおよび制御信号の受け渡しが可能である。
【００３２】
例えば、制御部５は、予め二次記憶部４などに記憶されたプログラムを実行するプロセッサーによって実現される。前記プロセッサーは、ＭＰＵ（Micro Processor Unit）またはＤＳＰ（Digital Signal Processor）などである。また、制御部５の一部が、ＡＳＩＣ（Application Specific Integrated Circuit）などの回路によって実現されることも考えられる。
【００３３】
制御部５は、主制御部５１、読取制御部５２、印刷制御部５３および画像処理部５４などを含む。主制御部５１は、画像処理装置１０を統括的に制御する。
【００３４】
例えば、主制御部５１は、ユーザーインターフェイス１を制御することにより、表示部１ｂに各種の情報を含む画面を表示させる。また、主制御部５１は、操作部１ａに対する操作に従って、各種の入力データを取得する。そして、主制御部５１は、前記入力データの内容に応じて、ユーザーインターフェイス１，読取制御部５２、印刷制御部５３および画像処理部５４などを制御する。
【００３５】
また、主制御部５１は、ネットワークインターフェイス６を制御することにより、ネットワーク８０を通じた電子メール通信によって前記読取画像データを他装置へ送信する電子メール機能を備える。前記電子メール通信において、主制御部５１は、前記読取画像データを前記電子メールデータの一部として電子メールサーバー８ｘへ送信する処理を実行する。
【００３６】
さらに、主制御部５１は、モデム７を制御し、公衆通信回線８００を通じたファクシミリ通信によって前記ＦＡＸデータの送信処理および前記ＦＡＸデータの受信処理を実行する。主制御部５１は、前記読取画像データを前記ＦＡＸデータとして他のファクシミリ装置８ｚへ送信する。
【００３７】
なお、前記ファクシミリ通信は第１通信方式の一例であり、前記電子メール通信は第２通信方式の一例である。
【００３８】
読取制御部５２は、イメージスキャナー２を制御することにより、イメージスキャナー２に前記画像読取処理を実行させる。印刷制御部５３は、画像形成部３を制御することにより、画像形成部３に前記印刷処理を実行させる。
【００３９】
画像処理部５４は、前記読取画像データに対する各種の画像処理を実行する。例えば、画像処理部５４は、前記読取画像データに対する文字認識処理を実行可能である。また、画像処理部５４は、前記読取画像データから予め定められた登録画像を抽出する処理も実行可能である。
【００４０】
ところで、前記読取画像データの送信において、前記電子メール通信および前記ファクシミリ通信などの各種の通信方式は、それぞれメリットとデメリットの両方を有する。そのため、従来装置のユーザーは、前記読取画像データの特性などに応じて、複数の通信方式のいずれを用いて前記読取画像データを送信するかを決定する必要がある。
【００４１】
例えば、前記電子メール通信が、許容データサイズを超えるデータを送信できないという制約を有する場合、前記ユーザーは、前記従来装置に対してファクシミリ送信操作を行う必要がある。前記ファクシミリ送信操作において、前記ユーザーは、前記従来装置に対してファックス番号を入力する。
【００４２】
また、前記ファクシミリ通信が、カラー画像データを送信できないという制約を有する場合、前記ユーザーは、前記読取画像データを前記カラー画像データとして相手に届けるために、前記従来装置に対して電子メール送信操作を行う必要がある。前記電子メール送信操作において、前記ユーザーは、電子メールアドレスを前記従来装置に入力する。
【００４３】
しかしながら、前記ユーザーにとって、データを送信する操作を行う前に、ファイル管理アプリケーションを起動させて前記読取画像データのサイズを確認したり、送信する原稿の一部にカラー画像が含まれているか否かを１ページずつ確認したりすることは、繁雑な作業である。
【００４４】
また、前記ファックス番号または前記電子メールアドレスを装置に入力することも、前記ユーザーにとって煩雑な作業である。また、データの送信頻度が低い宛先を装置に予め登録することは避けたい。
【００４５】
後述するように、画像処理装置１０は、名刺利用によるデータ送信処理を実行することができる。前記名刺利用によるデータ送信処理は、通信方式の選択のための確認作業および宛先の入力作業を簡略化するための処理である。
【００４６】
［名刺利用によるデータ送信処理］
以下、図２に示されるフローチャートを参照しつつ、前記名刺利用によるデータ送信処理の手順の一例について説明する。
【００４７】
前記名刺利用によるデータ送信処理において、イメージスキャナー２による前記画像読取処理の対象は、送信原稿９ａおよび名刺９ｂである。送信原稿９ａは、他装置への画像データの送信の対象となる前記原稿である。名刺９ｂは、前記読取画像データの送信の宛先が印刷された前記原稿である。
【００４８】
主制御部５１が、操作部１ａに対する予め定められた名刺モード選択操作およびデータ送信操作を検知したときに、図２に示される処理が開始される。前記データ送信操作が行われる前に、送信原稿９ａがイメージスキャナー２の走査機構２ｂが備える前記ＡＤＦまたは前記原稿台にセットされる。
【００４９】
以下の説明において、Ｓ１，Ｓ２，…は、前記名刺利用によるデータ送信処理において実行される工程の識別符号を表す。
【００５０】
＜工程Ｓ１＞
まず、読取制御部５２が、イメージスキャナー２に送信原稿９ａについての前記画像読取処理を実行させる。これにより、イメージスキャナー２が、送信原稿９ａに形成された画像を表す前記読取画像データを出力する。
【００５１】
以下の説明において、この工程Ｓ１で得られる前記読取画像データのことを送信画像データＤ１と称する。送信画像データＤ１は第１画像データの一例である。
【００５２】
＜工程Ｓ２＞
さらに、主制御部５１のタイプ判定部５１ａが、送信画像データＤ１が予め定められた複数のタイプのいずれに該当するかを判定する。
【００５３】
本実施形態において、前記複数のタイプは、モノクロ画像データ、カラー画像データ、許容サイズデータ、オーバーサイズデータ、秘匿データおよび一般データを含む。
【００５４】
前記モノクロ画像データは、白画素または黒画素のみを含むモノクロ画像を表すデータであり、前記カラー画像データは、彩色の画素を含むカラー画像を表すデータである。
【００５５】
送信画像データＤ１が前記カラー画像データであるか否かの判定において、画像処理部５４の色判定部５４ａが、送信画像データＤ１における各画素の色を判定する。タイプ判定部５１ａは、色判定部５４ａの判定結果に基づいて、送信画像データＤ１が前記カラー画像データであるか前記モノクロ画像データであるかを判定する。
【００５６】
前記許容サイズデータは、予め設定された許容データサイズの条件を満たすデータである。前記許容データサイズの条件は、前記電子メールデータとして送信可能な最大データサイズ以下であることを表す条件である。前記オーバーサイズデータは、前記許容データサイズの条件を満たさないデータである。即ち、前記オーバーサイズデータは、前記電子メールデータとして送信できないデータである。
【００５７】
前記秘匿データは、予め設定された秘匿指定画像Ｄ１０を含むデータである（図３，４参照）。前記一般データは、秘匿指定画像Ｄ１０を含まないデータである。秘匿指定画像Ｄ１０の候補を表す１つ以上の秘匿マークデータＤｃ０が、予め二次記憶部４に記憶されている（図１参照）。
【００５８】
送信画像データＤ１が前記秘匿データであるか否かの判定において、画像処理部５４の秘匿マーク検出部５４ｂが、送信画像データＤ１から秘匿マークデータＤｃ０が表す画像を検出する秘匿マーク検出処理を実行する。タイプ判定部５１ａは、秘匿マーク検出部５４ｂが送信画像データＤ１から秘匿マークデータＤｃ０が表す画像を検出することができるか否かに応じて、送信画像データＤ１が前記秘匿データであるか前記一般データであるかを判定する。
【００５９】
＜工程Ｓ３＞
次に、読取制御部５２が、イメージスキャナー２に名刺９ｂについての前記画像読取処理を実行させる。これにより、イメージスキャナー２が、名刺９ｂに印刷された画像を表す前記読取画像データを出力する。
【００６０】
工程Ｓ３の前記画像読取処理が行われる前に、主制御部５１の案内出力部５１ｂが、名刺９ｂをイメージスキャナー２にセットすることを促すメッセージを表示部１ｂに表示させる。そして、案内出力部５１ｂが操作部１ａに対する開始操作を検知したときに、読取制御部５２が、イメージスキャナー２に前記画像読取処理を実行させる。
【００６１】
以下の説明において、この工程Ｓ３で得られる前記読取画像データのことを名刺画像データＤ２と称する。名刺画像データＤ２は第２画像データの一例である。
【００６２】
＜工程Ｓ４＞
次に、画像処理部５４の宛先抽出部５４ｃが、名刺画像データＤ２に対する文字認識処理を行うことにより、名刺９ｂに印刷されているファックス番号ｔ１の文字列と電子メールアドレスｔ２の文字列とを抽出する（図３参照）。
【００６３】
例えば、宛先抽出部５４ｃは、名刺画像データＤ２から、予め設定された"FAX"または"ファクシミリ"などの第１宛先タイトル文字列と、"E-Mail"または"Email"などの第２宛先タイトル文字列とを抽出する。さらに、宛先抽出部５４ｃは、前記第１宛先タイトル文字列に対応する位置に存在する数値の文字列を、ファックス番号ｔ１の文字列として抽出する。さらに、宛先抽出部５４ｃは、前記第２宛先タイトル文字列に対応する位置に存在する"@"を含む一連の文字列を、電子メールアドレスｔ２の文字列として抽出する。
【００６４】
なお、ファックス番号ｔ１は、前記ファクシミリ通信に対応する第１宛先の一例であり、電子メールアドレスｔ２は、前記電子メール通信に対応する第２宛先の一例である。
【００６５】
さらに、宛先抽出部５４ｃは、名刺画像データＤ２からファックス番号ｔ１の文字列と、電子メールアドレスｔ２の文字列との両方を抽出できた場合に、処理を次の工程Ｓ５へ移行させ、そうでない場合に処理を工程Ｓ６へ移行させる。
【００６６】
＜工程Ｓ５＞
工程Ｓ５において、主制御部５１の宛先選択部５１ｃが、宛先選択処理を実行する。前記宛先選択処理は、工程Ｓ２での送信画像データＤ１のタイプの判定結果に基づく予め定められた選択ルールに従って、送信画像データＤ１の送信先としてファックス番号ｔ１および電子メールアドレスｔ２の一方を選択する処理である。
【００６７】
本実施形態において、前記選択ルールは、以下に示される６つの基本ルールを含む。第１基本ルールは、送信画像データＤ１が前記モノクロ画像データであると判定された場合にファックス番号ｔ１を送信先として選択するというルールである。第２基本ルールは、送信画像データＤ１が前記カラー画像データであると判定された場合に電子メールアドレスｔ２を送信先として選択するというルールである。
【００６８】
第３基本ルールは、送信画像データＤ１が前記許容サイズデータであると判定された場合に電子メールアドレスｔ２を送信先として選択するというルールである。第４基本ルールは、送信画像データＤ１が前記オーバーサイズデータであると判定された場合にファックス番号ｔ１を送信先として選択するというルールである。
【００６９】
第５基本ルールは、送信画像データＤ１が前記秘匿データであると判定された場合にファックス番号ｔ１を送信先として選択するというルールである。第６基本ルールは、送信画像データＤ１が前記一般データであると判定された場合に電子メールアドレスｔ２を送信先として選択するというルールである。
【００７０】
宛先選択部５１ｃは、前記６つの基本ルールを予め定められた優先順位に従って適用することにより、ファックス番号ｔ１および電子メールアドレスｔ２の一方を送信画像データＤ１の送信先として選択する。
【００７１】
例えば、宛先選択部５１ｃは、前記６つの基本ルールの中で、前記第６基本ルールを１番目に、前記第４基本ルールを２番目に、前記第２基本ルールを３番目に優先して適用することが考えられる。さらに、宛先選択部５１ｃは、前記６つの基本ルールの中で前記第１基本ルールを最も低い優先順位で適用することが考えられる。
【００７２】
宛先選択部５１ｃは、工程Ｓ５の処理の終了後、処理を工程Ｓ７へ移行させる。
【００７３】
＜工程Ｓ６＞
工程Ｓ６の処理は、ファックス番号ｔ１または電子メールアドレスｔ２が名刺画像データＤ２から抽出されなかった場合に実行される。工程Ｓ６において、主制御部５１の送信制御部５１ｄが、宛先仮設定処理を実行する。
【００７４】
前記宛先仮設定処理は、名刺画像データＤ２から抽出されたファックス番号ｔ１または電子メールアドレスｔ２を送信画像データＤ１の送信先として仮設定する処理である。送信制御部５１ｄは、工程Ｓ６の処理の終了後、処理を工程Ｓ７へ移行させる。
【００７５】
＜工程Ｓ７＞
工程Ｓ７の処理は、工程Ｓ５または工程Ｓ６の処理が行われた後に実行される。工程Ｓ７において、主制御部５１の表示制御部５１ｅが、例えば図３または図４に示されるような送信先確認画面ｇ０を表示部１ｂに表示させる。
【００７６】
図３は、ファックス番号ｔ１の文字列および電子メールアドレスｔ２の文字列の両方が、名刺画像データＤ２から抽出された場合の送信先確認画面ｇ０を示す。図４は、ファックス番号ｔ１の文字列が、名刺画像データＤ２から抽出されなかった場合の送信先確認画面ｇ０を示す。
【００７７】
図３に示されるように、送信先確認画面ｇ０は、送信画像データＤ１のタイプの判定結果ｒ１，ｒ２，ｒ３および選択送信先ｔ０を含む。判定結果ｒ１，ｒ２，ｒ３は、前記モノクロ画像データおよび前記カラー画像データの一方を表す色タイプ判定結果ｒ１と、前記許容サイズデータおよび前記オーバーサイズデータの一方を表すサイズ判定結果ｒ２と、前記秘匿画像データおよび前記一般画像データの一方を表す秘匿判定結果ｒ３とを含む。
【００７８】
選択送信先ｔ０は、工程Ｓ５において宛先選択部５１ｃによって選択された送信画像データＤ１の送信先の情報である。図３に示される例において、選択送信先ｔ０は名刺画像データＤ２から抽出されたファックス番号ｔ１である。
【００７９】
なお、工程Ｓ４において、ファックス番号ｔ１または電子メールアドレスｔ２が名刺画像データＤ２から抽出されなかった場合、工程Ｓ６で仮設定された宛先が、表示部１ｂに表示される（図４参照）。前記仮設定された宛先は、ファックス番号ｔ１および電子メールアドレスｔ２のうち、名刺画像データＤ２から抽出された一方である。
【００８０】
本実施形態において、送信先確認画面ｇ０は、さらに、名刺画像ｇ１と、非選択送信先ｔ００と、宛先変更アイコンｇ０１と、許容サイズ情報ｒ２０と、データサイズ情報ｒ２１と、送信アイコンｇ０２と、中止アイコンｇ０３とを含む。
【００８１】
名刺画像ｇ１は、名刺画像データＤ２が表す画像である。非選択送信先ｔ００は、ファックス番号ｔ１および電子メールアドレスｔ２のうち工程Ｓ５で選択されなかった一方である。
【００８２】
宛先変更アイコンｇ０１は、宛先選択部５１ｃによって選択された送信画像データＤ１の送信先を変更する操作を受け付けるアイコンである。送信アイコンｇ０２は、送信画像データＤ１の送信先を確定し、確定した送信先へ送信画像データＤ１を送信する処理を開始するための操作を受け付けるアイコンである。
【００８３】
中止アイコンｇ０３は、前記名刺利用によるデータ送信処理を中止するための操作を受け付けるアイコンである。
【００８４】
許容サイズ情報ｒ２０は、前記許容データサイズの条件を表す情報であり、データサイズ情報ｒ２１は、送信画像データＤ１のサイズを表す情報である。
【００８５】
また、送信先確認画面ｇ０が、カラー画像位置情報ｒ１０、秘匿マーク位置情報ｒ３０および送信画像データＤ１から検出された秘匿指定画像Ｄ１０を含む場合がある。
【００８６】
カラー画像位置情報ｒ１０は、送信画像データＤ１におけるカラー画像の位置をページ番号によって示す情報である。カラー画像位置情報ｒ１０は、送信画像データＤ１のタイプが前記カラー画像データであると判定された場合にのみ表示される。
【００８７】
秘匿マーク位置情報ｒ３０は、送信画像データＤ１における秘匿指定画像Ｄ１０の位置をページ番号によって示す情報である。秘匿マーク位置情報ｒ３０および秘匿指定画像Ｄ１０は、送信画像データＤ１が前記秘匿データであると判定された場合にのみ表示される。
【００８８】
＜工程Ｓ８＞
さらに、主制御部５１の送信制御部５１ｄが、送信先設定処理を実行する。前記送信先設定処理は、操作部１ａに対する操作に従って、送信画像データＤ１の最終的な送信先を設定する処理である。
【００８９】
前記送信先設定処理において、送信制御部５１ｄは、操作部１ａに対する予め定められた変更操作に従って、宛先選択部５１ｃによって選択された送信画像データＤ１の送信先を変更可能である。本実施形態において、前記変更操作は、送信先確認画面ｇ０の宛先変更アイコンｇ０１をクリックする操作である。
【００９０】
なお、宛先変更アイコンｇ０１が操作されない場合、送信制御部５１ｄは、宛先選択部５１ｃによって選択された送信画像データＤ１の送信先を変更しない。
【００９１】
ファックス番号ｔ１および電子メールアドレスｔ２一方が、名刺画像データＤ２から抽出されなかった場合、または、前記変更操作が行われた場合、前記選択ルールに反する宛先が設定される場合がある。この場合、表示制御部５１ｅは、警告メッセージｇ２を表示部１ｂに表示させる（図４参照）。
【００９２】
なお、宛先抽出部５４ｃが、ファックス番号ｔ１の文字列および電子メールアドレスｔ２の文字列のいずれも、名刺画像データＤ２から抽出できないことが考えられる。この場合、表示制御部５１ｅが、表示部１ｂにエラーメッセージを表示させることが考えられる。さらに、表示制御部５１ｅが、表示部１ｂに送信先入力画面を表示させ、宛先選択部５１ｃが、操作部１ａに対する送信先入力操作に従って、送信画像データＤ１の送信先を設定することも考えられる。
【００９３】
＜工程Ｓ９＞
さらに、送信制御部５１ｄは、操作部１ａに対する予め定められた送信操作に従って、最終的に選択されたファックス番号ｔ１または電子メールアドレスｔ２へ送信画像データＤ１を送信する処理をモデム７またはネットワークインターフェイス６に実行させる。
【００９４】
送信制御部５１ｄは、工程Ｓ９の処理の終了後、前記名刺利用によるデータ送信処理を終了させる。
【００９５】
画像処理装置１０のユーザーは、送信画像データＤ１を送信する操作を行う前に、前記ファイル管理アプリケーションを起動させて送信画像データＤ１のサイズを確認したり、送信原稿９ａの一部にカラー画像または秘匿指定画像Ｄ１０が含まれているか否かを１ページずつ確認したりする必要がない。
【００９６】
また、前記ユーザーは、ファックス番号ｔ１または電子メールアドレスｔ２を、画像処理装置１０に入力すること、および、宛先を画像処理装置１０に予め登録することも要求されない。
【００９７】
従って、画像処理装置１０が採用されれば、前記ファクシミリ通信または前記電子メール通信の選択のための確認作業および宛先の入力作業を簡略化することができる。
【００９８】
[第２実施形態]
次に、図５を参照しつつ、第２実施形態に係る画像処理装置１０ｘについて説明する。図５において、図１に示される構成要素と同じ構成要素は、同じ参照符号が付されている。以下、画像処理装置１０ｘにおける画像処理装置１０と異なる点について説明する。
【００９９】
画像処理装置１０ｘは、画像処理装置１０に、画像処理部５４の至急マーク検出部５４ｄが追加された構成を有している。
【０１００】
画像処理装置１０ｘの宛先選択部５１ｃは、図２の工程Ｓ５において、前記選択ルールに従って、送信画像データＤ１の送信先としてファックス番号ｔ１および電子メールアドレスｔ２の両方を選択する場合がある。
【０１０１】
画像処理装置１０ｘにおいて、タイプ判定部５１ａは、送信画像データＤ１が至急データおよび不急データのいずれであるかを判定する。前記至急データは、予め設定された至急指定画像を含むデータである。前記不急データは、前記至急指定画像を含まないデータである。前記至急データおよび前記不急データは、前記複数のタイプの一例である。
【０１０２】
送信画像データＤ１が前記至急データであるか否かの判定において、至急マーク検出部５４ｄが、送信画像データＤ１から前記至急指定画像を検出する至急マーク検出処理を実行する。タイプ判定部５１ａは、至急マーク検出部５４ｄが送信画像データＤ１から前記至急指定画像を検出することができるか否かに応じて、送信画像データＤ１が前記至急データであるか前記不急データであるかを判定する。
【０１０３】
さらに、本実施形態における前記選択ルールが、以下に示される第７基本ルールを含むことが考えられる。前記第７基本ルールは、送信画像データＤ１が前記至急データであると判定された場合に、ファックス番号ｔ１および電子メールアドレスｔ２の両方を送信先として選択するというルールである。
【０１０４】
本実施形態においては、前記第７基本ルールが適用され、ファックス番号ｔ１および電子メールアドレスｔ２の両方が最終的な送信先として選択される場合がある。この場合、送信制御部５１ｄは、最終的に選択されたファックス番号ｔ１および電子メールアドレスｔ２の両方へ送信画像データＤ１を送信する処理をモデム７およびネットワークインターフェイス６に実行させる。但し、ファックス番号ｔ１を宛先として送信される送信画像データＤ１は、前記カラー画像データである場合には前記モノクロ画像データへ変換された後に送信される。
【０１０５】
本実施形態によれば、送信画像データＤ１が至急確認されるべきデータである場合に、送信画像データＤ１が２つのルートで送信される。これにより、データの受信者による確認漏れの可能性を低減することができる。
【０１０６】
[応用例]
以上に示された画像処理装置１０において、前記選択ルールにおける前記６つの基本ルールの一部が省略されることも考えられる。また、前記選択ルールに前記６つの基本ルール以外のルールが追加されることも考えられる。
【符号の説明】
【０１０７】
１      ：ユーザーインターフェイス
１ａ    ：操作部
１ｂ    ：表示部
２      ：イメージスキャナー
２ａ    ：光源
２ｂ    ：走査機構
２ｃ    ：導光機器
２ｄ    ：イメージセンサー
３      ：画像形成部
４      ：二次記憶部
５      ：制御部
６      ：ネットワークインターフェイス（通信機）
７      ：モデム（通信機）
８ｘ    ：電子メールサーバー
８ｙ    ：端末装置
８ｚ    ：ファクシミリ装置
９ａ    ：送信原稿
９ｂ    ：名刺
１０，１０ｘ：画像処理装置
５１    ：主制御部
５１ａ  ：タイプ判定部
５１ｂ  ：案内出力部
５１ｃ  ：宛先選択部
５１ｄ  ：送信制御部
５１ｅ  ：表示制御部
５２    ：読取制御部
５３    ：印刷制御部
５４    ：画像処理部
５４ａ  ：色判定部
５４ｂ  ：秘匿マーク検出部
５４ｃ  ：宛先抽出部
５４ｄ  ：至急マーク検出部
８０    ：ネットワーク
１００  ：バス
８００  ：公衆通信回線
Ｄ１    ：送信画像データ（第１画像データ）
Ｄ１０  ：秘匿指定画像
Ｄ２    ：名刺画像データ（第２画像データ）
Ｄｃ０  ：秘匿マークデータ
ｇ０    ：送信先確認画面
ｇ０１  ：宛先変更アイコン
ｇ０２  ：送信アイコン
ｇ０３  ：中止アイコン
ｇ１    ：名刺画像
ｇ２    ：警告メッセージ
ｒ１    ：色タイプ判定結果
ｒ１０  ：カラー画像位置情報
ｒ２    ：サイズ判定結果
ｒ２０  ：許容サイズ情報
ｒ２１  ：データサイズ情報
ｒ３    ：秘匿判定結果
ｒ３０  ：秘匿マーク位置情報
ｔ０    ：選択送信先
ｔ００  ：非選択送信先
ｔ１    ：ファックス番号（第１宛先）
ｔ２    ：電子メールアドレス（第２宛先）
【図１】
2018121231.tif 000003
【図２】
2018121231.tif 000004
【図３】
2018121231.tif 000005
【図４】
2018121231.tif 000006
【図５】
2018121231.tif 000007